(57)【要約】【課題】人間の眼の知覚をモデルとし、比較的に製造が容易で経済的なセンサー装置を提供する。【解決手段】ホトセンサー（１）で輝度を決定するためのセンサー装置（５）に関する。このセンサー装置（５）は、リフレクター（７）を有し、前記ホトセンサー（１）とこのリフレクター（７）とは、リフレクターで反射された光が、ホトセンサー（１）に達するように配置されている。そして、このリフレクター（７）は、周辺光の可視光フラックス（１１）が反射され、周辺光の赤外線フラックス（１２）が透過されるように設計されている。【選択図】図１
2005233947.tif 000002
【特許請求の範囲】
【請求項１】
ホトセンサー（１）で輝度を決定するためのセンサー装置において、
このセンサー装置（５）は、リフレクター（７）を具備し、前記ホトセンサー（１）とリフレクター（７）とは、リフレクター（７）により反射された光が前記ホトセンサー（１）に達するように、配置され、また、
前記リフレクター（７）は、周辺光の可視光フラックスが、反射され、また、周辺光の他のフラックス、特に、赤外線フラックスが透過されるように、デザインされていることを特徴とするセンサー装置。
【請求項２】
前記ホトセンサー（１）は、シリコンホトセンサーであることを特徴とする請求項１のセンサー装置。
【請求項３】
前記リフレクター（７）は、プラスチック材で形成されていることを特徴とする請求項１もしくは２のセンサー装置。
【請求項４】
このセンサー装置は、開口（９）を有する部品支持体（２）を具備していることを特徴とする請求項１ないし３のいずれか１のセンサー装置。
【請求項５】
前記リフレクター（７）は、前記部品支持体（２）の開口（９）に対向するように配置されていることを特徴とする請求項４のセンサー装置。
【請求項６】
前記ホトセンサー（１）は、前記部品支持体（２）の開口（９）に近くなるように配設されていることを特徴とする請求項４もしくは５のセンサー装置。
【請求項７】
前記部品支持体の面（７）は、リフレクターとして機能することを特徴とする請求項４ないし６のいずれか１のセンサー装置。
【請求項８】
前記リフレクター（７）の表面は、凸であることを特徴とする請求項１ないし７のいずれか１のセンサー装置。
【請求項９】
前記部品支持体（２）は、閉じたハウジングであることを特徴とする請求項１ないし８のいずれか１のセンサー装置。
【請求項１０】
カバー（３）が、前記部品支持体（２）の上方に設けられていることを特徴とする請求項１ないし９のいずれか１のセンサー装置。
【請求項１１】
前記カバー（３）は、光学要素（１３）を有していることを特徴とする請求項１０のセンサー装置。
【発明の詳細な説明】
【技術分野】
【０００１】
本発明は、ホトセンサーで輝度を決定するためのセンサー装置に関する。そして、特に、本発明は、人間の眼のスペクトル感度をシュミレートするスペクトル感度のセンサー装置に関する。
【背景技術】
【０００２】
このようなセンサー装置は、人間の知覚に比例するような周辺光の輝度を測定することが可能であり、例えば、自動車での駆動光を制御するための自動システムに使用されている。これに関連して、例えば、特許文献１は、ホトセンサーとこのホトセンサーの前側に配置された拡散要素とを備えたセンサー装置を提案している。これらホトセンサーと拡散要素との特別なスペクトル感度によって、感度は、人間の眼の感度をシュミレートするようになされる。同様に、特許文献２には、フイルターがホトセンサーに付加されたセンサー装置が提案されている。このフイルターは、人間の眼のスペクトル感度と一致するスペクトル感度を得るために、光スペクトルの一部をフイルターリングする。
【０００３】
特許文献３ないし５には、幾つかのセンサーが使用され、これらの信号が、結果として特別なスペクトル感度が達成されるように、一緒に評価されるような、センサー装置が提案されている。
【特許文献１】米国特許Ｎｏ．５，２３５，１７８
【特許文献２】米国特許Ｎｏ．５，０３６，４３７
【特許文献３】欧州特許Ｎｏ．０  ８７６  ２６４  Ｂ１
【特許文献４】独国公開公報Ｎｏ．１９７  ４０  ９２８  Ａ１
【特許文献５】米国特許Ｎｏ．６，３９６，０４０  Ｂ１
【発明の開示】
【発明が解決しようとする課題】
【０００４】
本発明の目的は、特に簡単なデザインで製造が容易な、導入部分に記載された形式のセンサー装置を提供することである。
【０００５】
この目的は、請求項１の特徴を有するセンサー装置により果される。本発明の効果的な改良は、従属請求項に記載されている。
【課題を解決するための手段】
【０００６】
ホトセンサーで輝度を決定するためのセンサー装置において、本発明に係われば、
リフレクターが設けられ、前記ホトセンサーとリフレクターとは、リフレクターにより反射された光が前記ホトセンサーに達するように、配置されている。また、前記リフレクターは、周辺光の可視光フラックスが、反射され、また、周辺光の赤外線フラックスが透過されるように、デザインされている。
【０００７】
このようにして、センサー装置の特に簡単なオプションと特に簡単なデザインとが、達成され、このセンサー装置は、人間の眼の輝度に比例するようにして、周辺光の輝度を測定することが可能である。
【０００８】
好ましくは、経済的なシリコンホトセンサーが、本発明に係わるセンサー装置で使用される。これのスペクトル感度は、特に赤外線の範囲で、人間の眼のスペクトル感度をはるかに越える。本発明に係わるセンサー装置は、シリコンホトセンサーを使用することを可能にしている。この効果のために、リフレクターは、プラスチック材により、好ましくは形成される。可視光を反射し、ほとんど問題がなく、光スペクトルの赤外線フラクションを通す、即ちこの光路が透過される、多くの材料、特にプラスチック材がある。この効果のために、センサー装置は、不可視の赤外線フラクションを反射せず、かくして、この不可視の赤外線フラックスが、ホトセンサーの出力信号に貢献しない選択性のリフレクターを有している。好ましくは、本発明のセンサー装置は、開口を備えた部品支持体を有している。この開口を通って、光は、部品支持体に入射する。この効果のために、リフレクターは、好ましくは、部品支持体に形成された前記開口と対向するように、配設されている。このような構成において、ホトセンサーは、部品支持体に形成された開口に近づくように、配設されている。ホトセンサーとリフレクターとは、部品支持体の互いに対向する側に位置されている。前記開口を通って部品支持体の中に入射する光は、リフレクターにより反対側に反射されて、ホトセンサーに投射される。このようにして、センサー装置は、簡単に構成される、非常に小型の幾何学的配置にデザインされることができる。また、リフレクターは、部品支持体内で独立した要素として配設されることができる。しかし、好ましくは、部品支持体の一面が、リフレクターとして機能する。特に、全体の部品支持体が、所望の反射特性を有するプラスチック材で形成されているのは、有効である。
【０００９】
前記リフレクターは、平坦なデザインで良いが、リフレクターは、特別に形成された表面、特に、凸形状の表面を有していれば、センサーの方向付け特性が影響されるので、好ましい。本発明の他の好ましい実施の形態では、他の部品が必要とされないように、部品支持体は、閉じられているハウジングである。
【００１０】
本発明の他の好ましい実施の形態では、カバーが、部品支持体の上方に設けられている。好ましくは、このカバーは、部品支持体の上方に設けられている。好ましくは、このカバーは、プラスチックで形成されている。更に、効果的には、前記センサー装置全体の方向付け特性に目標をしぼって影響を与えることができるように、少なくとも１つの光学要素がこのカバーに組み込まれている。これの代わりに、このカバーは、カバーの壁の厚さが一定になっているように、デザインされることもできる。
【００１１】
以下では、本発明は、図示された実施の形態を参照して、より詳細に説明されている。図面中のただ１つのこの図は、本発明に係わるセンサー装置の断面図である。
【発明を実施するための最良の形態】
【００１２】
全体的にみて、前記センサー装置は５により示されている。このセンサー装置は、２つの向かい合った側壁６、７を有する支持部材（carrier element）２を有している。開口部９が形成された側壁８が前記側壁６にわずかに角度をつけて結合されている。この開口部９を通して光が支持部材２の前記側壁７の上に入射する。支持部材２のこの側壁７の上にはリフレクターが配置されているか、図示の実施の形態のようにこの側壁７が全体としてリフレクターとして設計されている。この側壁７に対向している前記側壁６の上には、センサー要素１（ホトセンサー）が配置されている。このセンサー要素１は図示の実施の形態の中ではシリコンホトセンサーである。前記支持部材２は一つの材料から一体的に作られている。前記開口部９を通る周囲の放射光１０は、前記リフレクターで反射される。そして、反射された周囲の放射光の可視光フラックス１１は、前記センサー要素１に反射される。一方、透過した周囲の放射光の赤外線フラックス１２は、このリフレクターを透過し、図示された実施の形態では、支持部材２の前記側壁７を透過している。前記支持部材２の上方にはカバー３が配置されており、このカバー３は、前記開口部９と対向している領域１３に、光学要素の形状をもち、図示された例の中では集束レンズである。この結果、多くの周囲の放射光フラックス１０が支持部材２の前記開口部９に集中して導かれる。
【図面の簡単な説明】
【００１３】
【図１】本発明に係わるセンサー装置の断面図である。
【符号の説明】
【００１４】
１…シリコンホトセンサー、５…センサー装置、７…リフレクター、１０…周囲の放射光フラックス、１１…周囲の放射光の可視光フラックス、１２…周囲の放射光の赤外線フラックス、１３…集束レンズ。
【図１】
2005233947.tif 000003